(57)【要約】【課題】軽くて嵩張らずに携帯電話機をスムーズに出し入れでき、かつ、ケースに入れたままでも携帯電話機を使用できる携帯電話機の保持ケースを提供することである。【解決手段】ケース本体１を水引２を用いて籠状に編んだものとすることにより、軽くて細い水引２を籠状に編むことにより得られる適度な剛性を利用して、軽くて嵩張らずに携帯電話機１０をスムーズに出し入れできるようにするとともに、水引２を籠状に編んだときに形成される豊富なすかし部１ａと水引２の可撓性を利用して、携帯電話機１０をケース本体１に入れたまま表示部１０ａを見たり、操作ボタン１０ｂを操作したりできるようにした。【選択図】図１
0003106209.tif 000002
【実用新案登録請求の範囲】
【請求項１】
携帯電話機を収納して保持する携帯電話機の保持ケースにおいて、前記保持ケースが水引を用いて籠状に編んだものであることを特徴とする携帯電話機の保持ケース。
【請求項２】
前記籠状に編んだ保持ケースの編み目にあわじ結びを設けた請求項１に記載の携帯電話機の保持ケース。
【請求項３】
前記保持ケースに水引で形成した２本吊りの吊り下げ紐を設け、この２本吊りの吊り下げ紐を任意の位置で束ね合わせて係止するストッパを設けた請求項１または２に記載の携帯電話機の保持ケース。
【考案の詳細な説明】
【技術分野】
【０００１】
本考案は、携帯電話機の保持ケースに関する。
【背景技術】
【０００２】
携帯電話機の普及は目覚しいものがあり、外出時等の携帯の仕方も多様化している。以前は、携帯電話機を衣服のポケットやハンドバッグ等に直接入れて携帯する人が多かったが、最近では、携帯電話機を専用の保持ケースに収納して携帯する人も増加している。このような携帯電話機の保持ケースには、吊り下げ紐を設けて首等に吊り下げ可能としたもの（例えば、特許文献１参照）が多いが、ズボンのベルト等のように身体に装着される保持ベルトに取り付けるようにしたもの（例えば、特許文献２参照）もある。ファッション性や携帯電話機の保護のためにケース本体のみとして、ハンドバッグ等に入れるようにしたものもある。
【０００３】
また、携帯電話機の保持ケースの素材としては、布や本皮や合成皮革等の皮が用いられており（例えば、特許文献２参照）、ケース本体の携帯電話機の送受信部が対応する箇所に孔やスリットを設けたり、表示部や操作ボタンが対応する箇所を透明にしたものもある（例えば、特許文献１参照）。
【０００４】
【特許文献１】特開２００１−３４６６２０号公報（第３−４頁、第１図）
【特許文献２】登録実用新案第３０１４７３１号公報（第４−７頁、第４−５図）
【考案の開示】
【考案が解決しようとする課題】
【０００５】
上述した従来の携帯電話機の保持ケースのうち、素材に布や薄い皮を用いたものは、剛性がなくて型崩れするので、携帯電話機のスムーズな出し入れができない問題がある。一方、素材に厚手の皮を用いたものは、携帯電話機をスムーズに出し入れできる剛性を有するが、ケースが重くて嵩張る問題がある。
【０００６】
また、従来の携帯電話機の保持ケースは、布や皮が不透明であるので、携帯電話機をケースに入れたまま使用するためには、表示部や操作ボタン等が対応する箇所に孔やスリットを設けたり、透明な別部材で形成した窓を設ける必要がある。
【０００７】
そこで、本考案の課題は、軽くて嵩張らずに携帯電話機をスムーズに出し入れでき、かつ、ケースに入れたままでも携帯電話機を使用できる携帯電話機の保持ケースを提供することである。
【課題を解決するための手段】
【０００８】
上記の課題を解決するために、本考案は、携帯電話機を収納して保持する携帯電話機の保持ケースにおいて、前記保持ケースを水引を用いて籠状に編んだものとした構成を採用した。
【０００９】
すなわち、軽くて細い水引を籠状に編むことにより得られる適度な剛性を利用して、保持ケースを軽くて嵩張らずに携帯電話機をスムーズに出し入れできるものとするとともに、水引を籠状に編んだときに形成される豊富なすかし部と水引の可撓性を利用して、携帯電話機をケースに入れたまま表示部を見たり、操作ボタン等を操作したりできるようにした。
【００１０】
前記籠状に編んだ保持ケースの編み目にあわじ結びを設けることにより、ファッション性を高めることができる。
【００１１】
前記保持ケースに水引で形成した２本吊りの吊り下げ紐を設け、この２本吊りの吊り下げ紐を任意の位置で束ね合わせて係止するストッパを設けることにより、ストッパの係止位置を変えて２本吊りの吊り下げ紐の吊り下げ長さを調節し、首、肩、手首等の好みの部位に携帯電話機を吊り下げることができる。また、水引は引張強さが強いので、吊り下げ紐も軽くて丈夫なものとなる。
【考案の効果】
【００１２】
本考案の携帯電話機の保持ケースは、水引を用いて籠状に編んだものとしたので、軽くて細い水引を籠状に編むことにより得られる適度な剛性を利用して、保持ケースを軽くて嵩張らずに携帯電話機をスムーズに出し入れできるとともに、水引を籠状に編んだときに形成される豊富なすかし部と水引の可撓性を利用して、携帯電話機をケースに入れたまま表示部を見たり、操作ボタン等を操作したりすることができる。
【００１３】
前記籠状に編んだ保持ケースの編み目にあわじ結びを設けることにより、ファッション性を高めることができる。
【００１４】
前記保持ケースに水引で形成した２本吊りの吊り下げ紐を設け、この２本吊りの吊り下げ紐を任意の位置で束ね合わせて係止するストッパを設けることにより、ストッパの係止位置を変えて２本吊りの吊り下げ紐の吊り下げ長さを調節し、首、肩、手首等の好みの部位に携帯電話機を吊り下げることができる。また、水引は引張強さが強いので、吊り下げ紐も軽くて丈夫なものとなる。
【考案を実施するための最良の形態】
【００１５】
以下、図面に基づき、本考案の実施形態を説明する。この携帯電話機の保持ケースは、図１に示すように、ケース本体１が水引２を用いて籠状に編まれたものであり、その適度な剛性によって型崩れすることがなく、上端の開口から携帯電話機１０がスムーズに出し入れされるようになっている。ケース本体１の上端開口縁には、同じく水引２を編んで形成された２本吊りの吊り下げ紐３が取り付けられ、吊り下げ長さを調節するストッパ４も設けられている。
【００１６】
前記ケース本体１の編み目にはすかし部１ａが豊富に形成され、携帯電話機１０の表示部１０ａや操作ボタン１０ｂが外から見えるようになっている。水引２は可撓性を有するので、操作ボタン１０ｂをケース本体１の外から操作することもできる。また、ケース本体１の編み目には、水引２を周回させるように結んだあわじ結び１ｂが随所に設けられ、ファッション性の高いものとなっている。
【００１７】
図２に示すように、前記ストッパ４は、シリンダ４ａにスライド自在に挿入された中子４ｂをコイルばね４ｃで外方に付勢し、シリンダ４ａと中子４ｂの側部に貫通させた各貫通孔４ｄ、４ｅに、吊り下げ紐３の両端を束ね合わせて通すようにしたものである。図２（ａ）に示すように、中子４ｂをシリンダ４ａに押し込むと、各貫通孔４ｄ、４ｅの位置が合致して、束ね合わせた吊り下げ紐３が開放され、この状態でストッパ４を任意の位置に移動させて、図２（ｂ）に示すように、押し込んだ中子４ｂを開放することにより、各貫通孔４ｄ、４ｅの位置がずれて、これらの貫通孔４ｄ、４ｅに通された吊り下げ紐３が係止され、吊り下げ紐３の吊り下げ長さが調節される。
【００１８】
上述した実施形態では、縦型の携帯電話機を保持するようにしたが、本発明に係る携帯電話機の保持ケースは、２つ折りのもの等、他の形態の携帯電話機も保持することができる。また、ケース本体の編み目模様は、実施形態のものに限定されることはなく、趣向に応じて任意にデザインすることができる。
【図面の簡単な説明】
【００１９】
【図１】携帯電話機の保持ケースの実施形態を示す正面図
【図２】ａ、ｂは、それぞれ図１のストッパの作用を説明する断面図
【符号の説明】
【００２０】
１  ケース本体
１ａ  すかし部
１ｂ  あわじ結び
２  水引
３  吊り下げ紐
４  ストッパ
４ａ  シリンダ
４ｂ  中子
４ｃ  コイルばね
４ｄ、４ｅ  貫通孔
１０  携帯電話機
１０ａ  表示部
１０ｂ  操作ボタン
【図１】
0003106209.tif 000003
【図２】
0003106209.tif 000004